(57)【特許請求の範囲】
【請求項１】
複数の遊技機が並んで配置される遊技島における遊技機に１対１で対応して設けられ、対応する遊技機により遊技者が獲得した遊技媒体を計数する計数手段を備えた遊技機装置であって、
対応する遊技機を遊技する遊技者が獲得した遊技媒体数である自台持玉数を記憶する自台持玉記憶手段と、
前記計数手段が計数した遊技媒体数を前記持玉記憶手段が記憶する自台持玉数に加える更新処理を行う自台持玉更新手段と、
少なくとも一部に透光性を有する材質からなる煙遮断板と、
前記煙遮断板に設けられ、前記自台持玉記憶手段が記憶する自台持玉数を表示し、少なくともその一部に透光性を有する表示手段と、
前記表示手段を制御する表示制御手段と、
前記煙遮断板を遊技機の盤面よりも前方へと突出させた状態であり、遊技機を遊技する遊技者による喫煙の煙を遮断する状態である分煙状態と、分煙状態よりも後方へ収納させる収納状態との間で煙遮断板をスライド可能にするスライド手段と、
前記煙遮断板が収納状態であるかを検知する検知手段と、
対応する遊技機を自台とし、それ以外の遊技機を他台として、他台に対応する遊技機装置が備える検知手段である他台検知手段が収納状態を検知したかを判定する他台表示判定手段と、
他台を遊技する遊技者が獲得した遊技媒体数である他台持玉数を記憶する他台持玉記憶手段と、
前記他台表示判定手段により前記他台検知手段が収納状態を検知したと判定された場合に、当該他台に対応する前記自台持玉記憶手段が記憶する自台持玉数を特定する他台持玉特定手段と、
前記他台持玉特定手段が特定した自台持玉数を前記他台持玉記憶手段が記憶する他台持玉数に加える更新処理を行う他台持玉更新手段と、
を備え、
前記表示制御手段は、前記他台表示判定手段により前記他台検知手段が収納状態を検知したと判定された場合に、前記自台持玉記憶手段が記憶する自台持玉数に加えて、前記他台持玉記憶手段が記憶する他台持玉数を表示する表示制御を行うことを特徴とする遊技機装置。
【請求項２】
前記他台表示判定手段の判定結果に基づき、前記表示手段による他台持玉数の表示対象となる遊技機を特定する表示対象特定手段と、
前記表示対象特定手段が特定した遊技機数である表示他台数を特定する前記他台数特定手段と、
前記他合数特定手段が特定した表示他台数に基づき前記表示手段による他台持玉数の表示対象となる遊技機をグループ化するグループ手段と、
を備え、
前記表示制御手段は、前記他台表示判定手段により前記他台検知手段が収納状態を検知したと判定した場合に、前記表示手段を前記自台持玉記憶手段が記憶する自台持玉数を表示する自台表示領域と、前記他台持玉記憶手段が記憶する他台持玉数を表示する他台表示領域とに分割制御する一方、前記グループ手段が遊技機をグループ化した場合に、グループ毎に前記他台持玉記憶手段が記憶する他台持玉数を表示するように前記他台表示領域を更に分割制御することを特徴とする請求項１記載の遊技機装置。
【請求項３】
所定の再遊技操作を受け付けた場合に、遊技媒体を払出す再遊技処理を行う再遊技手段と、
前記再遊技手段が再遊技操作を受け付けた場合に、前記自台持玉記憶手段が記憶する自台持玉数に基づいて前記再遊技手段による再遊技処理を許容する許容手段と、
遊技者による所定の共有操作を受け付けた場合に、獲得した遊技媒体を他台の遊技者と共有する共有状態を開始する共有手段と、
前記共有手段が共有状態を開始する場合に、獲得した遊技媒体の共有先となる他台を特定する共有先特定手段と、
前記共有先特定手段が特定した共有先において遊技者が獲得した遊技媒体数である共有先持玉数を記憶する共有先持玉記憶手段と、
前記共有先特定手段が共有先を特定した場合に、当該共有先に対応する自台持玉記憶手段が記憶する自台持玉数を特定する共有先持玉特定手段と、
前記共有先持玉特定手段が特定した自台持玉数を共有先持玉記憶手段が記憶する共有先持玉数に加える更新処理を行う共有持玉更新手段と、
前記再遊技手段により所定の再遊技操作が受け付けられた場合に、共有状態である場合には、前記共有先特定手段が特定した共有先に対応する前記自台持玉記憶手段が記憶する自台持玉数に基づいて前記再遊技手段による再遊技処理を許容する一方、共有状態で無い場合には、共有先に対応する前記自台持玉記憶手段が記憶する自台持玉数に基づいて前記再遊技手段による再遊技処理を許容しない共有許容手段と、
を備え、
前記表示制御手段は、共有状態である場合に、前記自台持玉記憶手段が記憶する自台持玉数に加えて、前記共有先持玉記憶手段が記憶する共有先持玉数を表示するように前記表示手段を制御することを特徴とする請求項１又は２記載の遊技機装置。
【請求項４】
前記共有手段は、共有操作を受け付けた場合に前記検知手段が収納状態であると判定していることを条件として共有状態を開始し、
前記他台持玉更新手段は、前記表示対象特定手段が複数の遊技機を他台表示対象となる遊技機として特定している状態で、その内の少なくとも１台の遊技機を前記共有先特定手段が共有先として特定した場合に、前記共有先持玉特定手段が特定した自台持玉数を前記他台持玉記憶手段が記憶する他台持玉数から除外する更新処理を行い、
前記表示制御手段は、共有状態で有り、前記表示対象特定手段が少なくとも１台の遊技機を他台表示対象として特定している場合に、前記自台持玉記憶手段が記憶する自台持玉数に加えて、前記共有先持玉記憶手段が記憶する共有先持玉数を前記自台表示領域に表示する一方、前記他台持玉記憶手段が記憶する他台持玉数を前記他台表示領域に表示する制御を行うことを特徴とする請求項３記載の遊技機装置。
【発明の詳細な説明】
【技術分野】
【０００１】
本発明は、煙遮蔽機能及び表示機能を備えた遊技機装置に関する。
【背景技術】
【０００２】
近年、特許文献１のように遊技機毎に計数機（以下、台毎計数機と称する）を設ける遊技場が増加しつつ有る。このような台毎計数機を設けたシステムにおいては、遊技者や従業員にとっての利便性は高まるものの遊技場にとって最も重要なことの一つである積み上げられた玉箱による出玉感を演出できないので、特許文献２では、遊技機間に間仕切りを設け、その間仕切りの表示部にて出玉数表示を行うことを提案している。
【特許文献１】実用新案２５７９７９２号公報
【特許文献２】特開平１１−１９７３４１号公報
【発明の開示】
【発明が解決しようとする課題】
【０００３】
しかしながら、特許文献１，２の構成は、複数の遊技機を並べて設置することが前提とならない所謂単独島を前提としているので、遊技機が並べられた遊技場にて設置し、島端から出玉状況を視認した場合に、手前の表示装置により視界が遮られ、奥の遊技機の表示を確認できない虞が有ることや、遊技者の不正の虞が有ること等から、その間仕切りを大きく形成できず、今一歩、出玉感を演出することが難しかった。また、単に間仕切り、及び表示部を大きくしても、上記課題が発生するばかりか、遊技機の清掃や点検を行う場合に間仕切りが邪魔になる虞も有る。
一方、遊技場では多数の遊技機を並べて設置することから、隣の遊技者が喫煙した場合に、その副流煙等により受動喫煙してしまうような問題も有る。
【０００４】
本発明は上記事情に鑑みてなされたもので、その目的は、遊技機毎に設けられた計数手段を備えた遊技機装置において、出玉演出効果を高め、遊技者の受動喫煙を効果的に防ぐばかりか、遊技場にとって使い勝手の良い遊技機装置を提供することにある。
【課題を解決するための手段】
【０００５】
本発明は、複数の遊技機が並んで配置される遊技島における遊技機に１対１で対応して設けられ、対応する遊技機により遊技者が獲得した遊技媒体を計数する計数手段を備えた遊技機装置であって、
対応する遊技機を遊技する遊技者が獲得した遊技媒体数である自台持玉数を記憶する自台持玉記憶手段と、前記計数手段が計数した遊技媒体数を前記持玉記憶手段が記憶する自台持玉数に加える更新処理を行う自台持玉更新手段と、少なくとも一部に透光性を有する材質からなる煙遮断板と、前記煙遮断板に設けられ、前記自台持玉記憶手段が記憶する自台持玉数を表示し、少なくともその一部に透光性を有する表示手段と、前記表示手段を制御する表示制御手段と、前記煙遮断板を遊技機の盤面よりも前方へと突出させた状態であり、遊技機を遊技する遊技者による喫煙の煙を遮断する状態である分煙状態と、分煙状態よりも後方へ収納させる収納状態との間で煙遮断板をスライド可能にするスライド手段と、前記煙遮断板が収納状態であるかを検知する検知手段と、対応する遊技機を自台とし、それ以外の遊技機を他台として、他台に対応する遊技機装置が備える検知手段である他台検知手段が収納状態を検知したかを判定する他台表示判定手段と、他台を遊技する遊技者が獲得した遊技媒体数である他台持玉数を記憶する他台持玉記憶手段と、前記他台表示判定手段により前記他台検知手段が収納状態を検知したと判定された場合に、当該他台に対応する前記自台持玉記憶手段が記憶する自台持玉数を特定する他台持玉特定手段と、前記他台持玉特定手段が特定した自台持玉数を前記他台持玉記憶手段が記憶する他台持玉数に加える更新処理を行う他台持玉更新手段と、を備え、前記表示制御手段は、前記他台表示判定手段により前記他台検知手段が収納状態を検知したと判定された場合に、前記自台持玉記憶手段が記憶する自台持玉数に加えて、前記他台持玉記憶手段が記憶する他台持玉数を表示する表示制御を行うものである（請求項１）。
【０００７】
上記構成において、前記他台表示判定手段の判定結果に基づき、前記表示手段による他台持玉数の表示対象となる遊技機を特定する表示対象特定手段と、前記表示対象特定手段が特定した遊技機数である表示他台数を特定する前記他台数特定手段と、前記他合数特定手段が特定した表示他台数に基づき前記表示手段による他台持玉数の表示対象となる遊技機をグループ化するグループ手段と、を備え、
前記表示制御手段は、前記他台表示判定手段により前記他台検知手段が収納状態を検知したと判定した場合に、前記表示手段を前記自台持玉記憶手段が記憶する自台持玉数を表示する自台表示領域と、前記他台持玉記憶手段が記憶する他台持玉数を表示する他台表示領域とに分割制御する一方、前記グループ手段が遊技機をグループ化した場合に、グループ毎に前記他台持玉記憶手段が記憶する他台持玉数を表示するように前記他台表示領域を更に分割制御するようにしてもよい（請求項２）。
【０００８】
また、所定の再遊技操作を受け付けた場合に、遊技媒体を払出す再遊技処理を行う再遊技手段と、前記再遊技手段が再遊技操作を受け付けた場合に、前記自台持玉記憶手段が記憶する自台持玉数に基づいて前記再遊技手段による再遊技処理を許容する許容手段と、
遊技者による所定の共有操作を受け付けた場合に、獲得した遊技媒体を他台の遊技者と共有する共有状態を開始する共有手段と、前記共有手段が共有状態を開始する場合に、獲得した遊技媒体の共有先となる他台を特定する共有先特定手段と、前記共有先特定手段が特定した共有先において遊技者が獲得した遊技媒体数である共有先持玉数を記憶する共有先持玉記憶手段と、前記共有先特定手段が共有先を特定した場合に、当該共有先に対応する自台持玉記憶手段が記憶する自台持玉数を特定する共有先持玉特定手段と、前記共有先持玉特定手段が特定した自台持玉数を共有先持玉記憶手段が記憶する共有先持玉数に加える更新処理を行う共有持玉更新手段と、前記再遊技手段により所定の再遊技操作が受け付けられた場合に、共有状態である場合には、前記共有先特定手段が特定した共有先に対応する前記自台持玉記憶手段が記憶する自台持玉数に基づいて前記再遊技手段による再遊技処理を許容する一方、共有状態で無い場合には、共有先に対応する前記自台持玉記憶手段が記憶する自台持玉数に基づいて前記再遊技手段による再遊技処理を許容しない共有許容手段と、を備え、
前記表示制御手段は、共有状態である場合に、前記自台持玉記憶手段が記憶する自台持玉数に加えて、前記共有先持玉記憶手段が記憶する共有先持玉数を表示するように前記表示手段を制御するようにしてもよい（請求項３）。
【０００９】
また、前記共有手段は、共有操作を受け付けた場合に前記検知手段が収納状態であると判定していることを条件として共有状態を開始し、前記他台持玉更新手段は、前記表示対象特定手段が複数の遊技機を他台表示対象となる遊技機として特定している状態で、その内の少なくとも１台の遊技機を前記共有先特定手段が共有先として特定した場合に、前記共有先持玉特定手段が特定した自台持玉数を前記他台持玉記憶手段が記憶する他台持玉数から除外する更新処理を行い、前記表示制御手段は、共有状態で有り、前記表示対象特定手段が少なくとも１台の遊技機を他台表示対象として特定している場合に、前記自台持玉記憶手段が記憶する自台持玉数に加えて、前記共有先持玉記憶手段が記憶する共有先持玉数を前記自台表示領域に表示する一方、前記他台持玉記憶手段が記憶する前記他台持玉数を他台表示領域に表示する制御を行うようにしてもよい（請求項４）。
【発明の効果】
【００１０】
請求項１の発明によれば、表示手段が設けられる煙遮断板、及び表示手段が透光性を有する為、その表示手段の表示を島端からでも容易に確認できるようになるばかりか、煙遮断板がスライド可能であるので、清掃や点検を行う場合には収納状態にできる。更には、隣の遊技者による喫煙の煙が遮断する煙遮断板に表示手段が設けられる為、表示領域を大きくしても遊技者が邪魔だと感じる虞を軽減できる。よって、持玉表示領域を大きく形成できるようになる。
【００１１】
また、他台の煙遮断板が収納状態となった場合は、自台持玉数に加えて、他台持玉数を表示する表示制御を行うので、煙遮断板が邪魔であると感じる遊技者が煙遮断板を収納状態とし、表示手段により持玉数を表示できない状態となっても、その持玉数が他の表示手段にて表示される為、遊技者のニーズに応えつつ、出玉アピールができなくなる虞が軽減できる。
【００１２】
請求項２の発明によれば、他台の持玉数を表示する場合に、その表示対象となる遊技機数に応じて遊技機がグループに分割されて持玉数が表示される為、収納状態となっていない表示手段が少なくなり、１つの表示手段における表示対象遊技機数が多くなっても、表示対象遊技機数に応じた適切な持玉数表示が可能となる。この場合、自台の持玉数については別領域が設けられる為、少なくとも表示手段による表示が可能である遊技機における持玉数表示を確保でき、その遊技者の出玉感の満足度を阻害しない。
請求項３の発明によれば、所謂持玉の共有サービスに対応する表示が可能となり、共有先との合計持玉数を確認できるようになる。
【００１３】
請求項４の発明によれば、通常の遊技者は煙遮断板を邪魔と思わないが、共有サービスを受けうる遊技者（つまり夫婦、友達等）は邪魔と感じる。よって、煙遮断板が収納状態であることは、共有サービスを受けたいと考える遊技者にとっては受入易い条件と言える。しかも、共有サービスを受けたく無いと考える遊技者にとっては、煙遮断板を分煙状態とする可能性が高い為、共有サービスを開始する操作釦等を操作し易い状態としても極力誤操作を排除することが可能となり、操作釦を操作し易い箇所に設けることが可能となる。この場合、共有先との共有持玉数と他台の持玉数とが異なる表示領域に表示される為、その区分けを容易に行うことが可能となり、自台の遊技者の出玉満足感を阻害しない。
【発明を実施するための最良の形態】
【００１４】
以下、本発明の一実施形態について図面を参照して説明する。
図１は、遊技システム全体の構成を示す概略図である。遊技機１に対応して貸出装置２、分煙パネル（煙遮断板に相当）３が設置されていると共に、２台の遊技機１、貸出装置（計数手段に相当）２に対応して中継装置４が設置されている。事務所には管理装置５が設置されている。中継装置４は、遊技機１、貸出装置２、及び管理装置５と接続されており、貸出装置２及び管理装置５は中継装置４を介して遊技機側（遊技機１、貸出装置２等）から送信される遊技信号を受信して遊技情報を管理する。尚、遊技機装置は、貸出装置２及び分煙パネル３から構成されている。
【００１５】
遊技機側からは、次の遊技信号が出力される。
アウト信号：使用玉を回収するアウトボックスから出力。回収（使用、打込）玉１０玉に対して１パルスなので、アウト信号数×１０を使用媒体数（アウト）として特定する。尚、遊技機１から出力しても良い（使用媒体信号）。
セーフ信号：遊技機１から出力。払出１０玉に対して１パルスなので、セーフ信号数×１０を払出媒体数（セーフ）として特定する。尚、補給装置からの補給信号をセーフ信号としても良い（払出媒体信号）。
スタート信号：遊技機１から出力。始動口への入賞に応じて変動（動作）する表示部（役物）における図柄変動（役物作動）１回につき１パルス。尚、始動口への入賞に応じて出力される始動入賞信号をスタート信号としても良い。更に、管理対象を所謂羽根物等のパチンコ遊技機とした場合、始動口への入賞に応じて入賞領域を開放する役物を特定の役物とし、その入賞領域の開放を役物作動としても良い（始動信号となる）。この場合、役物作動数、或いは始動入賞数をスタートとして特定する。
大当信号：遊技機１から出力。所定条件が成立（表示部において特定の図柄を表示等）した場合に発生し、大入賞口等への入賞率が高まる大当たり中にレベル信号出力。
確変信号：遊技機１から出力。大当たり確率が向上する確変状態中にレベル信号出力（特別遊技状態信号）。
貸出信号：貸出装置２から出力。遊技者から貨幣等の有価価値を受付けた場合に遊技者に貸し出される貸出玉２５玉（１００円）に対して１パルスなので、貸出信号×２５（１００）を貸出玉数（貸出額）として特定する。
尚、特別遊技状態信号は、確変信号の代わりに、始動口への入賞率が高まる時短状態中にも出力される状態信号としても良い。勿論、時短状態中のみ出力される時短信号としても良い。
【００１６】
図２は、貸出装置２の下半部を示す斜視図である。貸出装置２には、共有釦６、再遊技釦７、玉払出口８、受光部９、計数カード排出口１０が設けられていると共に、最下部には可動玉受皿１１及び計数部１２が設けられている。遊技者が遊技にて獲得した玉を可動玉受皿１１へと導いた場合には、計数部１２にてその玉数を計数し、後述するように記憶している計数玉及び持玉（自台持玉数に相当）を加算する。持玉は、対応する遊技機１を遊技する遊技者の獲得玉数であり、図２に示すように可動玉受皿１１に設けられた持玉表示部１３にて実数単位にて表示され、遊技者はこの個人持玉に基づいて玉の払出（再遊技処理）や、計数カードの発行（発行処理）等を行う。尚、発行された計数カードはＰＯＳ等の清算装置で受付、景品交換が可能で有ると共に、他の貸出装置２にて受け付けた場合は、対応する持玉数が加算されて再遊技が可能となる。
【００１７】
貸出装置２は、分煙パネル３とも接続されており、分煙パネル３の表示制御を行うようになっている。
図３は、分煙パネル３の構成を示す分解斜視図である。分煙パネル３は、アクリルパネルや、強化ガラス等で構成される透光性を有する素材で形成されており、向かって右側となる表面に透光性を有する表示部（表示手段に相当）１４が設けられている。分煙パネル３は、コ字状の枠部材（スライド手段に相当）１５にスライド可能に支持されており、図４に示すように遊技機１の盤面よりも前方へ突出して遊技者の煙を遮断する状態である分煙状態と、図５に示すように枠部材１５に収納されることにより分煙状態よりも後方に収納された収納状態とに切替可能となっている。分煙パネル３の上下奥端部にはストッパ１６が設けられており、そのストッパ１６が枠部材１５の先端部に引っ掛かることにより枠部材１５からの分煙パネル３の脱落が防止されている。分煙パネル３のスライドは遊技者が手動で行うようになっているが、釦操作により自動的にスライドするように構成しても良い。枠部材１５の奥端部には分煙パネル３の収納状態を検知するパネルセンサ（検知手段に相当）１７が設けられており、分煙パネル３が収納状態でパネルセンサ１７が検知状態となる。表示部１４と貸出装置２とはケーブル１８で接続されており、分煙パネル３が枠部材１５内に収納された状態では、枠部材１５内にケーブル１８が折り畳まれて収納されるようになっている。分煙パネル３の表示部１４には、後述するように自台の持玉数（自台持玉数に相当）、及び条件に応じて他台の持玉数（他台持玉数に相当）を示す数の玉箱（以下、単に持玉数と称する）が表示されるようになっている。
尚、島内において向かって最も左に位置する分煙パネル３は、例えば枠部材１５にストッパを設ける等により収納不能に構成されており、常に引出された分煙状態となっている。
【００１８】
図６は、各装置の概略的な接続関係を示している。中継装置４は、ＣＰＵを主体とする制御部（自台持玉更新手段、表示制御手段、再遊技手段、許容手段、共有手段、共有先特定手段、共有先持玉特定手段、共有持玉更新手段、共有許容手段、検知手段、他台表示判定手段、他台持玉特定手段、他台持玉更新手段、表示対象特定手段、他台数特定手段、グループ手段に相当）１９、ＨＤＤ、ＲＡＭ、ＲＯＭ等からなる記憶部（自台持玉記憶手段、共有先持玉記憶手段、他台持玉記憶手段に相当）２０、Ｉ／Ｏからなる送受信部（共有先特定手段、共有先持玉特定手段、他台表示判定手段、他台持玉特定手段、他台数特定手段に相当）２１から構成されている。
【００１９】
中継装置４の送受信部２１は、遊技機１の送受信部２２、貸出装置２の送受信部２３、管理装置５の送受信部２４、アウトボックス２５と接続されている。貸出装置２の送受信部２３は、分煙パネル３の送受信部２６と接続されていると共に、パネルセンサ１７と接続されている。
管理装置５は、貸出装置設定を設定可能となっており、その貸出装置設定が更新された場合等に、中継装置４、貸出装置２等の端末装置に設定情報を送信する。端末装置は、設定情報を受信した場合に自身の設定情報を更新する。
【００２０】
図７は、管理装置５に設定された貸出装置設定の一例を示している。「設定項目」に対応して、「持玉設定」、「共有設定」、「他台設定」の各大項目が設定されていると共に、「持玉設定」には「更新単位」、「共有設定」には「設定」、「他台設定」には「設定」、「表示領域」の各項目が設定されており、それらの項目の意味は次の通りである。
更新単位／持玉設定：数値（箱数）を更新する持玉数の更新値。
設定／共有設定：持玉数の共有を許可するか否か。
設定／他台設定：他の遊技機の分煙パネルが閉じられた場合に、その遊技機の持玉数を表示するか否か。
表示領域／他台設定：他台の持玉数表示する場合の最大表示領域分割数。
貸出装置２は、持玉数に関わる情報を記憶管理している。
図８は、貸出装置２の記憶領域を示している。「記憶項目」に対応して、「自台情報」、「共有情報」、「他台情報」の各大項目が設定されていると共に、「自台情報」には「持玉」が設定され、「共有情報」には「共有」、「共有持玉」が設定され、「他台情報」には「表示他台数」、「第１他台」、「第１他台持玉」、「第２他台」、「第２他台持玉」が設定されており、それらの項目の意味は次の通りである。
持玉／自台情報：自台における持玉数（計数値−再遊技玉数）
共有／共有情報：持玉共有操作がなされた場合に持玉を共有する相手先となる遊技機ＩＤ（遊技台番）
共有持玉／共有情報：共有相手先の持玉教
表示他台数／他台情報：分煙パネル３にて表示する自台＆共有先以外の遊技機数
第１（第２）他台／他台情報：各他台表示領域における表示対象となる遊技機ＩＤ
第１（第２）他台持玉／他台情報：各他台表示領域の表示対象となる遊技機ＩＤにおける持玉数合計
尚、共有先は、共有操作により共有状態となった場合は左隣（分煙パネル３側）、共有開始情報を受信して共有状態となった場合は右隣となる。
【００２１】
次に、上記構成の作用について説明する。
営業開始時は、島において最も左に位置する分煙パネル３を除く全ての分煙パネル３が店内清掃のために収納されている。営業開始により全ての貸出装置２に電源が投入されると、貸出装置２が動作開始する。島に直線的に並列配置された貸出装置２は、互いに信号を送受信するように接続されており、以下の説明では、並列配置された２０１〜２１６番台の貸出装置２の動作について説明する。
【００２２】
図１７は、貸出装置２の動作を示すフローチャートである。貸出装置２は、持玉更新処理、他台表示関連処理、共有表示関連処理、表示切替処理を順に実行している。
図２１は、貸出装置２による表示切替処理を示すフローチャートである。貸出装置２は、情報表示中か（Ｄ１）、表示フラグが「１」か（Ｄ２）を判断している。
【００２３】
分煙パネルの内、島内で最も左に配置された２０１番台の分煙パネル３は収納不能に構成されるため、２０１番台の貸出装置２は、情報表示中でない状態では（Ｄ１：ＮＯ）、表示フラグは常に「１」（Ｄ１５：ＹＥＳ）、つまり分煙パネル３が分煙状態であると判断し、表示他台数が０（他台の持玉表示を行う必要がある）か（Ｄ４）、表示他台数が１か（Ｄ５）、表示他台数が２以上（他台の持玉表示を分割表示する必要がある）か（Ｄ６）、共有表示中か（Ｄ１０）、共有フラグが「１」か（Ｄ１３）を判断する。この表示他台数とは、後述するように向かって右側に位置する分煙パネル３において連続して収納状態となっている分煙パネル３の数のことである。この場合、表示他台数は２０２〜２１６番台の１５台で、２以上であることから（Ｄ６：ＹＥＳ）、他台分割表示を開始する（Ｄ７）。
【００２４】
他の２０２〜２１６番台の貸出装置２は、表示フラグは「０」であると判断しているので（Ｄ２：ＮＯ）、表示の終了状態を継続している（Ｄ１６）。
図１１は、２０１番台の他台分割表示例を示している。この他台分割表示例では、表示部１４の上半分が自台表示領域２７、下半分が他台表示領域２８に分割されており、２０１番台の貸出装置２の場合は、自台表示領域２７に２０１番台の持玉数が表示される。この場合、表示対象となる他台（２０２〜２１６番台）が複数（１５台）であることから、それらの他台は２つのグループに分割されている。つまり、他台表示領域２８は、第１他台表示領域２８ａ及び第２他台表示領域２８ｂに区分けされている。
【００２５】
第１他台表示領域２８ａ及び第２他台表示領域２８ｂの区分けは、他台表示数を表示領域数（＝２）で除算した値を１つの表示領域に対応する遊技機ＩＤ数とし、遊技機ＩＤ順に区分けする。図１１の他台表示例では、他台表示数（＝１５）を表示領域数（＝２）で割った値（＝７余り１）を１つの表示領域に対応する遊技機ＩＤ数とし、遊技機ＩＤ順に区分けする。この場合、余り１が有ることから、第１他台表示数の７に１を加算して８とする。従って、第１他台表示領域２８ａは２０２〜２０９番台の８台が表示対象となり、第２他台表示領域２８ｂは２１０〜２１６番台の７台が表示対象となる。尚、営業開始時にあっては、持玉が存在しないことから、何れの領域にも表示対象の台番のみが表示されている。
【００２６】
遊技により遊技機１の玉受上皿に貯められた獲得玉が満杯となった場合は、オーバーフローした獲得玉が図１に示す玉受下皿２９から玉受下皿３０へと払い出される。玉受下皿３０に払い出された玉は玉受下皿３０に設けられるレバーを操作することで落下させることが可能なので、遊技者はレバー操作により獲得玉を落下させる。玉受下皿３０から落下した獲得玉は可動玉受皿１１で受けられて計数部１２を通過する際に計数される。
【００２７】
図１８は、貸出装置２による持玉更新処理を示すフローチャートである。貸出装置２は、再遊技操作が有ったか（Ａ１）、計数カードを受付けたか（Ａ９）、獲得玉を計数したか（Ａ１０）、再遊技信号を受信したか（Ａ１１）、計数カードを発行したか（Ａ１２）を判断する。
【００２８】
貸出装置２は、獲得玉を計数したときは（Ａ１０：ＹＥＳ）、持玉数を更新する（Ａ１３）。つまり、持玉表示部１３に表示している現在の持玉数に計数玉を加算して表示する。遊技者が獲得玉を計数することにより持玉が有る状態では再遊技が可能であり、再遊技のために貸出装置２の再遊技釦７を押下げると、貸出装置２は、再遊技操作が有ったと判断し（Ａ１：ＹＥＳ）、持玉数が０でないことを確認してから（Ａ２：ＮＯ）、持玉数を更新すると共に（Ａ７）、５００円分（１玉４円で手数料が無い場合は１２５玉）の再遊技玉を玉払出口８から払出す（Ａ８）。このとき、持玉表示部１３に表示している持玉数を１２５減算する。
【００２９】
遊技者が残高、或いは計数玉が有る状態で、台移動する場合、或いは遊技を終了する場合は、遊技機１の玉受上皿に設けられている発行釦を押下げる。発行釦が押下された場合には、中継装置４へと発行要求信号が送信され、その発行要求信号に基づき貸出装置２にて発行処理が行われ、貸出装置２から計数カードが発行される。計数カードには、残高を特定可能な残高情報、及び持玉を特定可能な持玉情報が記憶されており、発行された計数カードを貸出装置２に読み取らせることにより記憶された残高の範囲内で貸玉の払出が可能であると共に持玉の範囲内で再遊技が可能となる。また、計数カードを景品交換カウンタに提出することにより、図示しないＰＯＳ端末に対する操作に基づいて持玉を景品と交換できる共に残高を清算できる。
【００３０】
貸出装置２は、計数カードを発行したときは（Ａ１２：ＹＥＳ）、持玉数を更新して０とする（Ａ１３）。これにより、可動玉受皿１１に設けられている持玉表示部１３の表示が０となる。
遊技者は、上述のようにして貸出装置２から発行された計数カードで再遊技する場合は、計数カードを貸出装置２へ挿入する。貸出装置２は、計数カードを受け付けた場合は（Ａ９：ＹＥＳ）、持玉情報に基づいて持玉数を加算し（Ａ１３）、受け付けた計数カードを初期化してストック部にストックする。
【００３１】
貸出装置２は、以上のようにして遊技状態に応じて自台の持玉数を更新する。
図１９は、貸出装置２による他台表示関連処理を示すフローチャートである。貸出装置２は、表示終了信号を受信したか（Ｂ１）、表示開始信号を受信したか（Ｂ２）、持玉信号を受信したか（Ｂ３）、表示フラグが「０」か（Ｂ９）、パネルセンサ１７を検知したか（Ｂ１５）を判断している。
【００３２】
貸出装置２は、表示フラグが「０」の場合（Ｂ９：ＹＥＳ）、つまり分煙パネル３が収納状態で、持玉更新が有った場合は（Ｂ１３：ＹＥＳ）、左隣の貸出装置２へ持玉信号を送信する。この持玉信号は、遊技機ＩＤ、持玉数を特定可能な信号である。
左隣の貸出装置２は、右隣の貸出装置２から持玉信号を受信したときは（Ｂ５：ＹＥＳ）、他台持玉数を更新してから（Ｂ６）、表示フラグが「０」かを判断する（Ｂ７）。表示フラグが「０」の場合（Ｂ７：ＹＥＳ）、つまり分煙パネル３の収納状態では、受信した持玉信号をリレー方式で左隣の貸出装置２へ転送する。これにより、２０２〜２１６番台の分煙パネル３が収納された状態では、２０２〜２１６番台の貸出装置２から２０１番台の貸出装置２へ持玉数を示す持玉信号が送信され、その持玉信号により２０１番台の貸出装置２において他台持玉数が特定されることになる。
図１２は、２０１番台の貸出装置２が２０２〜２１６番台の貸出装置２から受信した持玉信号に基づいて他台分割表示した一例を示している。尚、自台表示領域２７及び他台表示領域２８に表示される玉箱については後述する。
【００３３】
遊技者が左隣の遊技者との間を遮断するために自台に対応（左側に位置）した分煙パネル３を引出して分煙状態とすると、パネルセンサ１７が非検知となる。貸出装置２は、図１９の他台表示関連処理において、パネルセンサ１７が非検知となった場合は（Ｂ１０：ＹＥＳ）、表示フラグを「１」としてから（Ｂ１１）、左隣の貸出装置２へ表示開始信号を送信する（Ｂ１２）。この表示開始信号は、遊技機ＩＤ、図８の記憶領域における自台情報及び他台情報を特定可能な信号である。
【００３４】
左隣の貸出装置２は、右隣の貸出装置２から表示開始信号を受信したときは（Ｂ３：ＹＥＳ）、図８の記憶領域の他台情報の表示他台数を減算してから（Ｂ４）、他台持玉数を更新する（Ｂ６）。例えば、２０１番台の分煙パネル３で２０２〜２１６番台の持玉数を他台分割表示している状態で、２０２番の分煙パネル３が分煙状態となった場合は、表示対象となる他台数は０となる。尚、表示開始信号を受信した場合に（Ｂ３：ＹＥＳ）、分煙パネル３が収納状態で表示フラグが「０」のときは（Ｂ７：ＹＥＳ）、左隣の貸出装置２へと受信信号である表示開始信号を転送する（Ｂ８）。この場合も図８の記憶領域を更新する。
【００３５】
貸出装置２は、図２１の表示切替処理において、情報表示中でない状態で（Ｄ１：ＮＯ）、表示フラグが「１」の場合に（Ｄ１５：ＹＥＳ）、表示他台数が０のときは（Ｄ４：ＹＥＳ）、通常表示を開始する（Ｄ８）。この通常表示では、画面分割することなく、図７の管理装置設定の持玉設定の更新単位で持玉数を表示する。
【００３６】
図９は、貸出装置２による通常表示例を示している。分煙パネル３の表示部１４全体は自台表示領域２７に設定されており、表示対象の台番に加えて、持玉数に応じた数の玉箱が積み上げられて表示される。従って、遊技者は、分煙パネル３に積み上げられた玉箱が表示されることにより優越感を覚えると共に、他の遊技者は、積み上げられた玉箱により、２０１番台の遊技者の持玉数を一目で把握することができる。尚、分煙パネル３及び表示部１４が透明であることから、分煙パネル３の裏面側（向かって左側）に位置する遊技者は、分煙パネルの表示を裏側から見ることになるものの、積み上げられた玉箱を一目で確認できるのは勿論である。
【００３７】
通常表示は、右隣の分煙パネル３が分煙状態となった場合に自台の持玉数を表示するものであることから、島に設置された分煙パネル３が全て分煙状態となった場合は、各分煙パネル３の表示部１４に自台持玉数がそれぞれ表示されることになる。このような場合であっても、分煙パネル３が透明であり、しかも表示部１４も透明であることから、遊技者は、分煙パネル３を通して目的の遊技機１に対応して設けられた分煙パネル３の表示部１４による表示を確認することができる。
【００３８】
島の全ての分煙パネル３が収納状態から２０２番台の分煙パネル３のみが分煙状態となった場合は、２０２番台の分煙パネル３の表示部１４の自台表示領域２７には２０２番台の持玉数が表示され、第１他台表示領域２８ａには２０３〜２０９番台の合計持玉数が表示され、第２他台表示領域２８ｂには２１０〜２１６番台の合計持玉数が表示される。
【００３９】
島の全ての分煙パネル３が収納状態となっており、そこから２０３番台の分煙パネル３が遊技者により引出されて分煙状態となった場合は、２０１番台の貸出装置２は、図２１の表示切替処理において、情報表示中（Ｄ１：ＹＥＳ）の状態から、表示対象の他台数が１５台から２０２番台の１台となることから、表示対象の他台数の更新が有り（Ｄ３：ＹＥＳ）、表示対象の他台数が１台の対応する他台表示とするために（Ｄ４：ＮＯ、Ｄ５：ＹＥＳ）、他台表示の分割表示を終了し、分割表示ではない他台表示を開始する（Ｄ９）。一方、２０３番台の貸出装置２では、情報表示中でない状態（Ｄ１：ＮＯ）から、表示フラグが「１」となり（Ｄ１５：ＹＥＳ）、表示対象の他台数が２０４〜２１６番台の１３台となることから（Ｄ４：ＮＯ、Ｄ５：ＮＯ、Ｄ６：ＹＥＳ）、２０４〜２１０番台の合計持玉数を第１他台表示領域２８ａに、２１１〜２１６番台の合計持玉数を第２他台表示領域２８ｂに表示する他台分割表示を開始する（Ｄ７）。
【００４０】
図１０は、貸出装置２による他台表示例を示している。他台表示例では、自台表示領域２７は２０１番台の持玉数を示し、他台表示領域２８は右隣の２０２番台の持玉数を示している。従って、分煙パネル３が収納されている場合であっても、左側の分煙パネル３の表示により右隣台の持玉数を確認することができる。
以上のように、他台表示は、右隣の分煙パネル３が収納状態、更にその右隣の（２台目の）分煙パネル３が分煙状態である場合に、自台及び右隣台の持玉を表示する状態である。
【００４１】
島の全ての分煙パネル３が収納状態となっており、そこから２０４番台の分煙パネル３が分煙状態となった場合は、２０１番台の貸出装置２は、図２１の表示切替処理において、情報表示中（Ｄ１：ＹＥＳ）の状態から、表示対象の他台数が１５台から２０２，２０３番台の２台となることから、表示対象の他台数の更新が有り（Ｄ３：ＹＥＳ）、表示対象の他台数が２台の対応する他台表示とするために（Ｄ４：ＮＯ、Ｄ５：ＮＯ、Ｄ６：ＹＥＳ）、他台表示の分割表示はそのまま継続するが表示対象の他台数を２台とするように他台分割表示を更新する。この場合、図１３に示すように、他台表示領域２８の第１他台表示領域２８ａには２０２番台の持玉数、第２他台表示領域２８ｂには２０３番台の持玉数が表示されることになる。一方、２０４番台の貸出装置２では、情報表示中でない状態（Ｄ１：ＮＯ）から、表示フラグが「１」となり（Ｄ１５：ＹＥＳ）、表示対象の他台数が２０５〜２１６番台の１２台となることから（Ｄ４：ＮＯ、Ｄ５：ＮＯ、Ｄ６：ＹＥＳ）、２０５〜２１０番台の合計持玉数を第１他台表示領域２８ａに、２１１〜２１６番台の合計持玉数を第２他台表示領域２８ｂに表示する他台分割表示を開始する（Ｄ７）。
上述のように、他台表示領域２８は、表示対象の他台数により画面分割数が異なり、表示対象の他台数が１の場合は、他台表示領域２８は分割されず、表示対象の他台数が２以上の場合は、他台表示領域２８が２分割されることになる。
【００４２】
遊技者が分煙パネル３による分煙状態を終了するために分煙パネル３を収納すると、パネルセンサ１７が検知状態となる。貸出装置２は、図１９の他台表示関連処理において、パネルセンサ１７が検知状態となった場合は（Ｂ１５：ＹＥＳ）、表示フラグを「０」としてから（Ｂ１６）、左隣の貸出装置２へ表示終了信号を送信する（Ｂ１７）。表示終了信号は、遊技機ＩＤ、図８記憶領域における自台情報及び他台情報を特定可能な信号である。
【００４３】
貸出装置２は、図２１の表示切替処理において、表示フラグが「０」となった場合は（Ｄ２：ＮＯ）、分煙パネル３の表示部１４による持玉表示を終了する（Ｄ１６）。
左隣の貸出装置２は、図１９の他台関連処理において、右隣の貸出装置２から表示終了信号を受信した場合は（Ｂ１：ＹＥＳ）、図８の記憶領域における他台情報の対応する数値を更新する。また、図２１の表示切替処理において、情報表示中の状態で（Ｄ１：ＹＥＳ）、表示フラグが「１」の場合（Ｄ２：ＹＥＳ）、つまり分煙パネル３が分煙状態であれば、更新された表示他台数により画面分割数を特定して表示を更新する（Ｄ４〜Ｄ６）。尚、貸出装置２は、図１９の他台関連処理において、右隣の貸出装置２から表示終了信号を受信した場合に（Ｂ１：ＹＥＳ）、分煙パネル３が収納状態で表示フラグが「０」のときは（Ｂ７：ＹＥＳ）、左隣の貸出装置２へと受信信号である表示終了信号を転送する（Ｂ８）。この場合も図８の記憶領域は更新する。
【００４４】
例えば、図１２の表示状態で２１０番台にて分煙状態となった場合、２１０番台の分煙パネル３にて２１１番台〜２１６番台の他台持玉数を表示し、２０９〜２０２番台までは、自身の他台情報を更新しつつ表示開始信号をリレー方式で順に転送することにより、２０１番台の分煙パネル３の表示部１４にて２０２〜２０９番台の他台持玉数を表示する。
【００４５】
貸出装置２は、上述のように分煙パネル３の状態に応じて自台の持玉数、及び他台の持玉数を表示可能であるのに加えて、隣り合う遊技機１の持玉数を共有可能とした共有サービスが可能となっている。
図２０は、貸出装置２による共有表示関連処理を示すフローチャートである。貸出装置２は、共有フラグが「０」の場合は（Ｃ１：ＹＥＳ）、共有開始情報を受信したか（Ｃ２）、表示フラグが「０」か（Ｃ３）を判断する。分煙パネル３が収納されて表示フラグが「０」である場合は（Ｃ３：ＹＥＳ）、共有釦６が押下げられたかを判断する（Ｃ４）。
【００４６】
遊技者が自台の持玉を左隣台の持玉と共有したい場合は、分煙パネル３の収納状態で貸出装置２の共有釦６を押下げる。貸出装置２は、共有釦６が押下げられたときは（Ｃ４：ＹＥＳ）、共有送信フラグを「１」としてから（Ｃ５）、左隣の貸出装置２へ持玉数を特定可能な共有開始情報を送信してから（Ｃ６）、共有フラグを「１」とする（Ｃ７）。
【００４７】
左隣の貸出装置２は、右側の貸出装置２から共有開始情報を受信したときは（Ｃ２：ＹＥＳ）、共有情報及び他台情報を更新してから（Ｃ８）、共有フラグを「１」とする（Ｃ７）。つまり、図８の記憶領域の他台情報から共有先を除外し、共有情報に共有先の情報を記憶する。また、図２１の表示切替処理において、共有フラグが「１」となった場合は（Ｄ１３：ＹＥＳ）、共有表示を開始する（Ｄ１４）。つまり、持玉数に共有先の持玉数を加算した値を共有持玉として自台表示領域２７にて共有持玉数を表示する。
【００４８】
図１５は、貸出装置２による共有表示例を示している。この共有表示例は、２０２番台の遊技者が分煙パネル３の収納状態で貸出装置２の共有釦６を押下げた場合における２０１番台の分煙パネル３の表示部１４による表示例を示しており、表示部１４には、２０１番台及び２０２番台の共有持玉数が表示される。
【００４９】
右側の貸出装置２は、図２０の共有表示関連処理において、共有送信フラグが「１」であることから（Ｃ９：ＹＥＳ）、持玉更新が有るか（Ｃ１０）、パネルセンサ１７が検知状態か（Ｃ１２）、共有釦６が押下げられたか（Ｃ１６）を判断する。持玉数を更新した場合は（Ｃ１０：ＹＥＳ）、左側の貸出装置２へ共有持玉信号を送信する（Ｃ１１）。
【００５０】
左側の貸出装置２は、右側の貸出装置２から共有持玉情報を受信したときは（Ｃ１７：ＹＥＳ）、共有情報を更新する（Ｃ１８）。尚、左隣の遊技者の分煙パネル３が収納状態であっても右隣との持玉共有は可能であるが、共有表示は、分煙パネル３が分煙状態となるのを待って（Ｄ１５：ＹＥＳ）開始する（Ｄ１４）。
【００５１】
貸出装置２は、図１８の持玉更新処理において、再遊技釦７の操作が有った場合に（Ａ１：ＹＥＳ）、持玉数が０であったとき（Ａ２：ＹＥＳ）、つまり再遊技操作に応じて自身の持玉が無いときは、共有フラグが「１」かを判断し（Ａ３）、共有フラグが「１」であったときは（Ａ３：ＹＥＳ）、共有先へ共有持玉数を問い合わせる（Ａ４）。共有先の共有持玉数が０でない場合は、共有先へ再遊技玉を払出すことを示す再遊技信号を送信してから（Ａ６）、払出可能な再遊技玉を払出す（Ａ８）。これにより、共有先の共有持玉数に基づいた再遊技玉の払い出しを受けることができる。
【００５２】
共有先の貸出装置２は、共有元の貸出装置２から再遊技信号を受信したときは（Ａ１１：ＹＥＳ）、持玉数を更新する（Ａ１３）。
例えば、２０２〜２１６番台の分煙パネル３の収納状態で、２０２番台の遊技者が貸出装置２の共有釦６を押下げた場合は、図１６に示す共有他台表示例のように、自台表示領域２７に２０１及び２０２番台の共有持玉数を表示し、他台表示領域２８に２０３〜２１６番の持玉数を２分割して表示する。
【００５３】
遊技者は、共有状態を解消したい場合は、共有先との間にある分煙パネル３を分煙状態とする。また、分煙パネル３の収納状態を維持したまま共有状態を解消したい場合は、共有釦６を再度押下げる。
貸出装置２は、図２０の共有関連表示処理において、パネルセンサ１７が検知状態となるか（Ｃ１２：ＹＥＳ）、共有釦６が押下げられた場合は（Ｃ１６：ＹＥＳ）、共有先の貸出装置２へ共有終了情報を送信してから（Ｃ１３）、共有送信フラグを「０」としてから（Ｃ１４）、共有フラグを「０」とする（Ｃ１５）。
【００５４】
共有先の貸出装置２は、共有元の貸出装置２から共有終了情報を受信したときは（Ｃ１９：ＹＥＳ）、共有情報及び他台情報を更新してから（Ｃ２０）、共有フラグを「０」とする（Ｃ１５）。また、図２１の表示切替処理において、共有表示中に（Ｄ１０：ＹＥＳ）、共有フラグが「０」となったときは（Ｄ１１：ＹＥＳ）、共有表示を終了する（Ｄ１２）。尚、共有状態を終了した場合に共有持玉数を表示していれば、自身の持玉数表示へと更新する。
以上のようにして、分煙パネル３を収納した状態で貸出装置２の共有釦６を押下げることにより共有先の分煙パネル３にて共有持玉数を表示することができると共に、共有先の共有持玉で再遊技することが可能となり、共有サービスを受けることができる。
【００５５】
このような実施形態によれば、遊技機１に対応して設けられた透光性を有する分煙パネル３に透光性を有する表示部１４を設け、分煙パネル３が引出された分煙状態で持玉に関する情報を表示するようにしたので、出玉演出効果を高めることができる。また、表示部１４の表示を島端からでも容易に確認できるようになるばかりか、分煙パネル３がスライド可能であるので、清掃や点検を行う場合には収納状態にでき、遊技者の受動喫煙を効果的に防ぐばかりか、遊技場にとって使い勝手が良い。
【００５６】
しかも、隣の遊技者による喫煙の煙が遮断する分煙パネル３に表示部１４を設けるようにしたので、表示領域を大きくしても遊技者が邪魔だと感じる虞を軽減でき、表示領域を大きく形成できるようになる。
また、分煙パネル３が邪魔であると感じる遊技者が分煙パネル３を収納状態とし、表示部１４により持玉数を表示できない状態となっても、その持玉数が分煙状態の分煙パネル３でまとめて表示される為、遊技者のニーズに応えつつ、出玉アピールができなくなる虞が軽減できる。
【００５７】
また、表示対象の他台の持玉数を表示する場合に、その表示対象となる他台数に応じて他台がグループに分割されて持玉数が表示される為、収納状態となっていない分煙パネル３が少なくなり、１つの表示部１４における表示対象の他台が多くなっても、表示対象の他台数に応じた適切な持玉数表示が可能となる。この場合、自台の持玉数については別の自台表示領域２７が設けられる為、自台の持玉表示を確保でき、その遊技者の出玉感の満足度を阻害しない。
また、共有設定を行うことにより、分煙パネル３の表示部１４に、所謂持玉の共有サービスに対応する共有持玉数の表示が可能となり、共有先との共有持玉数を確認できるようになる。
【００５８】
さらに、通常の遊技者は分煙パネル３を邪魔と思わないが、共有サービスを受けうる遊技者（つまり夫婦、友達等）は邪魔と感じる。よって、分煙パネル３が収納状態であることは、共有サービスを受けたいと考える遊技者にとっては受入易い条件と言える。しかも、共有サービスを受けたく無いと考える遊技者にとっては、分煙パネル３を分煙状態とする可能性が高い為、共有サービスを開始する共有釦６を操作し易い状態としても極力誤操作を排除することが可能となり、共有釦６を操作し易い箇所に設けることが可能となる。この場合、共有先との合計持玉数と他台の持玉数とが異なる表示領域に表示される為、その区分けを容易に行うことが可能となり、自台の遊技者の出玉満足感を阻害しない。
【００５９】
（他の実施形態）
分煙パネル３の裏面にて持玉数表示しても良い。この場合、分煙パネル３における表面の表示と同一の表示を、遊技機１を挟んだ分煙パネルの裏面にて表示する。制御としては、表面の表示をする貸出装置２から裏面の表示をする貸出装置２へと情報を転送して表示すれば良い。また、表面にて自台持玉数表示、裏面にて他台持玉数表示を行う等、表示を分割しても良い。この場合、表示対象となる遊技機１は表示部１４の表面と裏面にて挟まれた複数の遊技機１の持玉数を分割する。
【００６０】
他台表示領域２８の区分けは３つ以上を設定しても良い。
共有サービスの開始と終了を共通の共有釦６に対する操作としたが、別操作としても良い。この場合、共有対象の遊技機１を３台以上としても良い。また、共有遊技に対応しないシステムに採用しても良い。
【００６１】
分煙パネル３や、貸出装置２は対応する遊技機１の右隣としても良い。この場合、実施例の各種信号は右隣の貸出装置２に対して送信する。
遊技機１間の分煙パネル３が収納状態に有ることを条件とすれば、左隣の貸出装置２から右隣に対して共有遊技を開始する操作を受け付けても良い。この場合、台番を指定する操作を受け付ける必要が有る。勿論、右隣と選択するのみでも良い。
【００６２】
表示領域が同一であれば、その合計持玉数を表示するようにしたが、各遊技機１における持玉数を特定して各々記憶し、その持玉数を特定可能に表示しても良い。
共有サービスは、計数カードの発行時に終了しても良い。
自台表示領域や他台表示領域のレイアウトはどのようなレイアウトであっても良い。また、自台、他台を分割せずに一括して表示しても良い。
分煙パネル３の表示部１４における持玉数表示は、実数値を表示しても良い。
【００６３】
会員カード等により会員ＩＤを受付け、対応する所謂貯玉に基づく再遊技システムに適用しても良い。
会員カード、計数カード等の記憶媒体はカード以外に、コインや携帯電話等の媒体を想定できる。また、既存、或いは新規に記憶させた媒体のＩＤに対応付けて持玉数、貯玉を管理装置５にて管理しても良い。
【００６４】
貸出装置２における処理の一部を管理装置５や中継装置４等で行っても良い。また、本実施形態の全ての数値は例示である。
対象となる遊技機はパチスロ等どのような遊技機であっても良く、対象となる遊技媒体もメダル等の遊技媒体を採用しても良い。
【００６５】
分煙パネル３、或いは表示部１４の一部を透光性の無いように構成しても、その大部分が透光性を有すれば十分な効果を得ることができる。
分煙パネル３は、自動で分煙状態と収納状態にスライドさせてもよく、この場合、計数カードが発行された場合等、遊技者が遊技を終了した場合に収納状態へとスライドさせ、計数カードを受け付けた場合等、遊技者が遊技を開始した場合に分煙状態へとスライドさせることが望ましい。
【００６６】
表示部１４としては、液晶や、透光性を有するＥＬを採用しなくとも持玉数表示が可能で有れば良いので、例えば分煙パネル３に複数の玉箱を模した凹部を形成し、その玉箱に対して各々光源を設けて、持玉数に応じて光源を点灯させることにより持玉数表示を行うようにしても良い。
【図面の簡単な説明】
【００６７】
【図１】本発明の一実施形態における全体構成を示す概略図
【図２】貸出装置の下部を示す斜視図
【図３】分煙パネルを枠部材から取外して示す斜視図
【図４】分煙状態で示す分煙パネルの斜視図
【図５】収納状態で示す図４相当図
【図６】各装置の接続関係を示すブロック図
【図７】管理装置による貸出装置設定を示す図
【図８】貸出装置の記憶領域を示す図
【図９】分煙パネルによる通常表示例を示す図
【図１０】分煙パネルによる他台表示例を示す図
【図１１】分煙パネルによる他台分割表示例を示す図（その１）
【図１２】分煙パネルによる他台分割表示例を示す図（その２）
【図１３】分煙パネルによる他台分割表示例を示す図（その３）
【図１４】分煙パネルによる他台分割表示例を示す図（その４）
【図１５】分煙パネルによる共有表示例を示す図
【図１６】分煙パネルによる共有他台表示例を示す図
【図１７】貸出装置の動作を示すフローチャート
【図１８】貸出装置による持玉更新処理を示すフローチャート
【図１９】貸出装置による他台表示関連処理を示すフローチャート
【図２０】貸出装置による共有表示関連処理を示すフローチャート
【図２１】貸出装置による表示切替処理を示すフローチャート
【符号の説明】
【００６８】
図面中、１は遊技機、２は貸出装置（計数手段）、３は分煙パネル（煙遮断板）、４は中継装置、５は管理装置、６は共有釦、１４は表示部（表示手段）、１５は枠部材（スライド手段）、１７はパネルセンサ（検知手段）、１９は制御部（計数手段、自台持玉更新手段、表示制御手段、再遊技手段、許容手段、共有手段、共有先特定手段、共有先持玉特定手段、共有持玉更新手段、共有許容手段、検知手段、他台表示判定手段、他台持玉特定手段、他台持玉更新手段、表示対象特定手段、他台数特定手段、グループ手段）、２０は記憶部（自台持玉記憶手段、共有先持玉記憶手段、他台持玉記憶手段）、２１は送受信部（共有先特定手段、共有先持玉特定手段、他台表示判定手段、他台持玉特定手段、他台数特定手段当）である。
【図１】
0005139130.tif 000002
【図２】
0005139130.tif 000003
【図３】
0005139130.tif 000004
【図４】
0005139130.tif 000005
【図５】
0005139130.tif 000006
【図６】
0005139130.tif 000007
【図７】
0005139130.tif 000008
【図８】
0005139130.tif 000009
【図９】
0005139130.tif 000010
【図１０】
0005139130.tif 000011
【図１１】
0005139130.tif 000012
【図１２】
0005139130.tif 000013
【図１３】
0005139130.tif 000014
【図１４】
0005139130.tif 000015
【図１５】
0005139130.tif 000016
【図１６】
0005139130.tif 000017
【図１７】
0005139130.tif 000018
【図１８】
0005139130.tif 000019
【図１９】
0005139130.tif 000020
【図２０】
0005139130.tif 000021
【図２１】
0005139130.tif 000022